(57)【要約】【課題】  チェーンを切断し、又接続し、さらには接続したチェーンのピン先端をカシメる為の治具であって、コンパクトで簡単な構造とし、作業中にチェーンが位置ズレすることはなくて扱い易いチェーンの切断・接続用治具の提供。【解決手段】  互いに対を成してチェーン９を挟み込むＡプレート１とＢプレート３を有し、Ａプレート１の上下端部にはボルト挿通穴１０，１０を貫通し、中央には中央正面ボルト４が螺合する中央正面ネジ穴１３を設け、Ａプレート内面１９には上記中央正面ネジ穴１３の両側に切欠き溝２０，２０を形成し、そしてＢプレート３の上下端部にはネジ穴１１，１１を設け、中央には中央背面ネジ穴１４を設け、Ｂプレート内面１９には上記中央背面ネジ穴１４の両側に切欠き溝２０，２０を形成している。【選択図】    図１
0003120058.tif 000002
【実用新案登録請求の範囲】
【請求項１】
チェーンを切断し、又接続し、さらには接続したチェーンのピン先端をカシメる為の治具において、互いに対を成してチェーンを挟み込むＡプレートとＢプレートを有し、Ａプレートの上下端部にはボルト挿通穴を貫通し、中央には中央正面ボルトが螺合する中央正面ネジ穴を設け、Ａプレート内面には上記中央正面ネジ穴と同一高さに、ピンが嵌る幅寸法の切欠き溝を形成すると共に該切欠き溝の深さは外リンクプレートからのピンの突出長さとし、そしてＢプレートの上下端部にはネジ穴を設け、中央には中央背面ネジ穴を設け、Ｂプレート内面には上記中央背面ネジ穴と同一高さに、ピンが嵌る幅寸法の切欠き溝を形成すると共に該切欠き溝の深さは外リンクプレートからのピンの突出長さとしたことを特徴とするチェーンの切断・接続用治具。
【請求項２】
上記Ａプレート内面の中央正面ネジ穴の両側に切欠き溝を形成し、又、Ｂプレート内面の中央背面ネジ穴の両側に切欠き溝を形成した請求項１記載のチェーンの切断・接続用治具。
【請求項３】
上記Ｂプレートの中央背面ネジ穴に中央背面ボルトを螺合して取付けた請求項１、又は請求項２記載のチェーンの切断・接続用治具。
【請求項４】
上記Ａプレートには持ち手を取付けた請求項１、請求項２、又は請求項３記載のチェーンの切断・接続用治具。
【考案の詳細な説明】
【技術分野】
【０００１】
本発明はチェーンを適度な長さに切断する場合、逆に適当な長さに接続する場合、さらに接続したチェーンのピン先端をカシメる場合に使用する治具に関するものである。
【背景技術】
【０００２】
ローラチェーンは外リンクと内リンクとが互いに屈曲自在に接続して無端状を成している。そして、該ローラチェーンは両スプロケットに巻き掛けられて動力の伝達が行われるが、所定の距離を隔てて設けられている両スプロケットにダブ付くことなく巻き掛けする為に必要な長さに調整される。従って、長い場合にはピンを外リンクプレートから抜いて外リンクと内リンクを除去し、短い場合には同じくピンを外リンクプレートから抜いて、別の外リンクと内リンクが繋ぎ合わされる。
【０００３】
外リンクプレートからピンを抜き取ることで、外リンクと内リンクは分断されるが、このピンの抜取作業に切断・接続用治具が使用される。図８は出願人の実用新案登録出願に係るチェーン接続切断装置を表している(実公昭５７−３３９８５号)。このチェーン接続切断装置は本体(イ)を有し、この本体(イ)はその中央部に凹部(ロ)と該凹部(ロ)に貫通するネジ穴(ハ)を有し、該ネジ穴(ハ)には受けボルト(ニ)が螺合して取付けられている。そして、受けボルト(ニ)の先端面には外リンクプレートから突出するピン先端部が嵌るピン溝を形成している。又、この凹部(ロ)の反対側には丸穴(ホ)が穿設され、さらに該丸穴(ホ)に貫通するネジ穴(ヘ)が設けられている。丸穴(ホ)には摺動体(ト)が嵌合しており、この摺動体(ト)の片側にはその中心にカシメピン(チ)又は抜き出しピンが挿入・固定されている。又、前記ネジ穴(ヘ)に螺合するように雄ネジ体(リ)が配置されている。
【０００４】
ところで、ローラチェーン(ヌ)をピン(ル)により接続するには、外リンクプレートに立てた２本のピン(ル)、(ル)を内リンクプレートの穴に挿入し、内リンクプレートの反対側には外リンクプレートを配置して本体(イ)の凹部(ロ)にセットする。この場合、ネジ穴(ハ)に螺合して取付けられている受けボルト(ニ)の先端にはピン溝が形成され、外リンクプレートは受けボルト先端面に当って支えられる。この状態で雄ネジ体(リ)を回転させると、摺動体(ト)は雄ネジ体(リ)と一体にネジ穴方向へ移動する。そして、ピン(ル)はカシメピン(チ)にて押圧されて外リンクプレートの穴に嵌合し、ローラチェーン(ヌ)の接続が行われる。
【０００５】
逆に、ローラチェーン(ヌ)を切断する場合には、ローラチェーン(ヌ)を本体凹部(ロ)にセットし、雄ネジ体(リ)を回転することで摺動体(ト)を移動して抜取ピンにてピン(ル)を押圧する。この抜取ピンはピン(ル)より細いものが使用される。
ところで、上記チェーン接続切断装置の本体(イ)は概略Ｃ形の一体構造で片持ち支持のカシメ装置である為に、カシメの荷重に耐えるだけの強度としなくてはならない。従って、装置本体(イ)が大きくなり、又作業性も悪いといった問題がある。すなわち、ローラチェーン(ヌ)の位置決めが容易でなく、作業中に位置ズレを起こす虞もある。そして繰返し使用することで装置本体が変形し、押圧ピンの中心軸と受けボルトの中心軸がズレてしまう。
【特許文献１】実公昭５７−３３９８５号に係る「チェーン接続切断装置」
【考案の開示】
【考案が解決しようとする課題】
【０００６】
このように、従来のチェーン接続・切断装置には上記のごとき問題がある。本考案が解決しようとする課題はこの問題点であり、至ってコンパクトで簡単な構造とし、作業中にチェーンが位置ズレすることはなくて扱い易く、又本体が変形することのないチェーンの切断・接続用治具を提供する。ここで、チェーンとはローラチェーン、ブシュチェーン、サイレントチェーン、リーフチェーンなどを対象とする。
【課題を解決するための手段】
【０００７】
本考案に係るチェーンの切断・接続用治具は、互いに対を成すＡプレートとＢプレートを有し、両Ａ，Ｂプレートは２本の締付けボルトにて連結される。そして中央には中央正面ネジ穴が形成され、該ネジ穴には中央正面ボルトを螺合することが出来る。上記ＡプレートとＢプレートにてチェーンが挟まれ、２本の締付けボルトにて両Ａ，Ｂプレートは締付け・固定される。Ａプレート及びＢプレートの対向内面には、中央のネジ穴と同一高さにはピンが嵌る幅寸法の切欠き溝を形成している。
【０００８】
ところで、本発明の切断・接続用治具を用いて、チェーンの切断、接続、及びカシメ作業は次の通り行うことが出来る。
(１)チェーンの切断
両Ａ，Ｂプレートにてチェーンを挟み込み、締付けボルトで固定し、この状態で中央正面ネジ穴に中央正面ボルトを螺合してチェーンピンを押圧して抜き取る。勿論、押圧側と成るＡプレート側に位置する外リンクプレートのピン穴からピンが離脱すればよい。この場合、ボルト先端にはチェーンのピンより細い押圧ピンが延びて、該押圧ピンにて該ピンの先端を押圧する。
(２)チェーンの接続
チェーンの接続は、隣合う両内リンクを外リンクにて連結する作業であり、一方の外リンクプレートには２本のピンが前以て起立し、この両ピンを内リンクの穴の挿入し、他方の外リンクプレートを内リンクの反対側に配置する。この状態で、両Ａ，Ｂプレートにて挟み込み、２本の締付けボルトをバランスよく締め上げる。そこで、ピンの先端は外リンクプレートのピン穴に圧入する。
(３)ピンのカシメ
接続した外リンクが外れないようにピンの先端をカシメる作業は、チェーンの切断の場合と同じように行う。チェーンを両Ａ，Ｂプレートにて挟み込んで両締付けボルトで固定し、中央正面ネジ穴に中央正面ボルトを螺合してカシメる。カシメボルトの先端にはカシメピンが取着され、該カシメピンの先端を外リンクのピン先端に形成した穴に押圧することで、ピン先端部が外側へ拡張してカシメられる。
【考案の効果】
【０００９】
本考案に係るチェーンの切断・接続用治具を用いて、チェーンの切断、チェーンの接続、及び接続したチェーンのカシメを行うことが出来る。本考案の２枚のＡ，Ｂプレートをボルトで締め、中央の正面ネジ穴に押圧ピンやカシメピンを取着した中央正面ボルトを螺合することで構成する治具はコンパクトで軽く扱い易い。又、ピンの抜取りやカシメにおいて発生する荷重にてＡ，Ｂプレートが歪に変形することはなく、力は常にバランスして作用している。そして、チェーンは両Ａ，Ｂプレートにて挟み込み・固定された状態で切断、接続、及びカシメの作業が行われる為に、該チェーンが作業中に位置ズレすることはない。
【実施例】
【００１０】
図１は本考案のチェーン切断・接続用治具を表している実施例である。このチェーン切断・接続用治具は、Ａプレート１、持ち手２、Ｂプレート３、中央正面ボルト４、中央背面ボルト５、締め付けボルト６、六角レンチ７、パイプ８で構成している。上記Ａプレート１及びＢプレート３は所定の厚さの長方形板であり、Ａプレート１とＢプレートとの間にはチェーンが挟み込まれる。Ａプレート１には上記持ち手２が取付けられ、該持ち手２を握って作業することが出来るコンパクトで軽い治具としている。
【００１１】
ここで、Ａプレート１とＢプレート３の上端部と下端部に締付けボルト６，６が設けられ、Ａプレート１にはボルト挿通穴が、Ｂプレート３にはネジ穴が設けられている。そこで、締付けボルト６，６を調整することで両Ａ，Ｂプレート１，３間の距離が変化し、間に挟まれるチェーンは上記締付けボルト６，６を締付けることで固定することが出来る。そして、中央正面ボルト４は両Ａ，Ｂプレート１，３にて固定されたチェーンのピンを押圧して抜取る場合、及びピン先端をカシメる場合に使用される。
【００１２】
図２はチェーン９を切断する場合を示している。同図は展開図であるが、Ａプレート１のボルト挿通穴１０，１０に締付けボルト６，６を挿通してＢプレート３のネジ穴１１，１１に螺合する。そこで、両Ａ，Ｂプレート１，３は２本の締付けボルト６，６によって連結され、この間にチェーン９が挟まれる。さらに締付けボルト６，６を締めるならば、チェーン９は両Ａ，Ｂプレート１，３によって固定される。この場合、チェーン９のピン１２が中央正面ネジ穴１３及び中央背面ネジ穴１４に位置するように位置決めして固定される。
【００１３】
図２(ｂ)に示すように、隣合う内リンク１６，１６を連結している外リンク１５を取外すことでチェーン９は切断される訳で、上記両Ａ，Ｂプレート１，３にて固定されたチェーン９のピン１２，１２は中央正面ボルト４を中央正面ネジ穴１３に螺合して先端の押圧ピン１７にて押圧して抜き取られる。ピン１２，１２は外リンクプレート１８のピン穴から離脱することで(ｂ)のように外リンク１５は取外される。
【００１４】
本考案の治具では中央正面ボルト４を中央正面ネジ穴１３に螺合して回転することで、押圧ピン１７に押圧されてピン１２は外リンクプレート１８から外れるが、２本のピン１２，１２を抜き取るには、両Ａ，Ｂプレート１，３にて固定されるチェーン９の位置を変えて同じ作業が行われる。ピン１２は押圧ピン１７に押圧されて中央背面ネジ穴１４を後退する。その為に、中央背面ネジ穴１４には中央背面ボルト５は螺合していない。
【００１５】
図３は切断・接続用治具の両Ａ，Ｂプレート１，３に挟まれたチェーン９のピン１２を押圧ピン１７にて抜き取る場合を示している。両外リンクプレート１８，１８にはＡプレート１とＢプレート３が当接してチェーン９は固定され、この状態で中央正面ボルト４を回転するならば、先端から延びている押圧ピン１７がピン１２に当って外リンクプレート１８のピン穴から抜き取ることが出来る。中央正面ボルト４は六角レンチ７にパイプ８を取付けて回される。
【００１６】
図４はチェーン９を接続する場合であり、隣合う内リンク１６，１６を外リンク１５にて連結して繋がれる。外リンクプレート１８に起立したピン１２，１２を内リンク１６，１６のブシュ穴に挿入し、内リンク１６，１６から突出したピン１２，１２の先端を外リンクプレートのピン穴の位置に当てがう。すなわち、図４(ｂ)に示すように、外リンクプレート１８を両ピン１２，１２の先端にピン穴が一致するように配置し、この状態で切断・接続用治具に取付ける。
【００１７】
すなわち、Ａプレート１とＢプレート３とで挟み込み、２本の締め付けボルト６，６にて拘束する。Ｂプレート３の内面１９には中央背面ネジ穴１４の両側に切欠き溝２０，２０が対称位置に設けられ、該切欠き溝２０，２０の深さは外リンクプレート１８から突出するピン１２，１２の突出長さと成っている。そこで、内リンク１６，１６を連結する為の外リンク１５の両ピン１２，１２が該切欠き溝２０，２０に嵌るように位置決めされた状態でチェーン９が両Ａ，Ｂプレート１，３に挟まれる。
【００１８】
この状態で両締付けボルト６，６をバランスして回転することで、外リンクプレート１８はＡプレート１に押されてピン１２，１２はピン穴に嵌ることが出来る。Ａプレート１の内面にも中央正面ネジ穴１３の両側に切欠き溝２０，２０が対称を成して形成されている。そこで、外リンクプレート１８が押されてピン１２，１２のピン穴に嵌るが、ピン１２，１２の先端は切欠き溝２０，２０の底に当って停止する。この切欠き溝２０，２０の深さはピン１２，１２の圧入代として定められる。
【００１９】
ところで、実施例の切欠き溝２０，２０は、Ｂプレート３の内面１９の中央背面ネジ穴１４の両側に設けられ、同じくＡプレート１の内面にも中央正面ネジ穴１３の両側に設けている。しかし、該切欠き溝２０はピンが嵌る幅寸法に形成すると共に該切欠き溝２０の深さは外リンクプレートからのピンの突出長さとされ、その形状は特に限定しない。例えば、細長い連続した切欠き溝とすることも可能である。
【００２０】
図５は切断・接続用治具の両Ａ，Ｂプレート１，３にチェーン９を挟んで、該チェーン９を接続する場合を示している。チェーン９の隣合う内リンク１６，１６のブシュ穴に外リンクプレート１８ａから起立するピン１２，１２が挿通し、内リンク１６，１６の反対側から突出するピン１２，１２の先端を外リンクプレート１８ｂのピン穴に嵌めることが出来る。Ｂプレート３の内面１９に外リンクプレート１８ａを当接し、又ピン１２，１２の先端を切欠き溝２０，２０の底に当てた状態で、Ａプレート１を押圧する。
【００２１】
２本の締め付けボルト６，６を均等に回転することでＡプレート１はＢプレート３に近づき、反対側の外リンクプレート１８ｂを押圧する。従って、該外リンクプレート１８ｂのピン穴にピン１２，１２が嵌入し、ピン先端がＡプレート１の内面１９に形成している切欠き溝２０，２０の底に当ったところで停止して適度な圧入代となる。
【００２２】
図６は接続したチェーン９のピン先端をカシメる場合である。チェーン９をＡプレート１とＢプレート３にて挟み込み、２本の締付けボルト６，６を螺合して固定する。この際、チェーン９のピン１２が中央正面ネジ穴１３及び中央背面ネジ穴１４に位置するように固定される。そして、中央正面ボルト４を中央正面ネジ穴１３に螺合すると共に先端から延びるカシメピン２１をピン先端に形成している穴２２に押圧する。
【００２３】
図６(ｂ)にピン先端の穴２２とカシメピン２１の拡大図を示しているように、中央正面ボルト４を中央正面ネジ穴１３に螺合して回転することで、カシメピン２１の先端が穴２２に押圧されて該穴２２を押し広げ、(ｃ)のようにカシメられる。従って外リンクプレート１８がピン１２から離脱することはない。ところで、カシメピン２１をピン１２に押し当てるだけでは、ピン１２は外リンクプレート１８から抜き取られてしまう。
【００２４】
そこで、ピン１２をカシメる場合には、ピン１２が後退しないようにＢプレート３の中央背面ネジ穴１４に中央背面ボルト５を螺合しておく。すなわち、中央背面ネジ穴１４を塞ぐために中央背面ボルト５を取付け、ピン１２の受けとして機能させる。図７は切断・接続治具のＡプレート１とＢプレート３とでチェーン９を挟み込んでピン先端をカシメる場合を表している。
【００２５】
前記図３に示したピン１２を抜取る場合と共通しているが、ピン１２を抜取る場合にはＢプレート３の中央背面ネジ穴１４に中央背面ボルト５を取付けていない。ピン１２を抜取る際には、該ピン１２が後退するための中央背面ネジ穴１４が必要となり、ピン１２をカシメる際には該ピン１２が後退しないように支える為の受けと成る中央背面ボルト５が必要となる。勿論、ピン１２を抜取る為の押圧ピン１７とカシメるためのカシメピン２１とは一般に異なっているが、同一ピンを使用することも可能である。
【図面の簡単な説明】
【００２６】
【図１】本考案に係るチェーン切断・接続用治具を示す実施例。
【図２】チェーンを切断する場合の作業の概略図。
【図３】チェーン切断・接続用治具にチェーンを固定してピンを抜取る場合。
【図４】チェーンを接続する場合の作業の概略図。
【図５】チェーン切断・接続用治具にチェーンを固定してピンを圧入する場合。
【図６】接続したチェーンのピンをカシメる場合の作業の概略図。
【図７】チェーン切断・接続用治具にチェーンを固定してピン先端をカシメる場合。
【図８】従来のチェーン接続切断装置。
【符号の説明】
【００２７】
１  Ａプレート
２  持ち手
３  Ｂプレート
４  中央正面ボルト
５  中央背面ボルト
６  締付けボルト
７  六角レンチ
８  パイプ
９  チェーン
10  ボルト挿通穴
11  ネジ穴
12  ピン
13  中央正面ネジ穴
14  中央背面ネジ穴
15  外リンク
16  内リンク
17  押圧ピン
18  外リンクプレート
19  内面
20  切欠き溝
21  カシメピン
22  穴
【図１】
0003120058.tif 000003
【図２】
0003120058.tif 000004
【図３】
0003120058.tif 000005
【図４】
0003120058.tif 000006
【図５】
0003120058.tif 000007
【図６】
0003120058.tif 000008
【図７】
0003120058.tif 000009
【図８】
0003120058.tif 000010